(57)【要約】      （修正有）【課題】顕微鏡のスライドグラスまたはカバーグラスが汚れないようにするために、スライドグラスまたはカバーグラスを収納して保存することができるホルダを提供する。【解決手段】スライドグラス座１０と、押出し器２０と、カバーグラスケース３０を有し、該スライドグラス座１０は、スライドグラス配置台１１及び物置き台１２を備え、該スライドグラス配置台１１にスライドグラス保持枠１１４が設置され、該スライドグラス保持枠１１４の底部に押出し開口１１４２が形成され、該押出し器２０は、スライドグラス保持枠１１４の下方に設置され、スライドグラスを押出すための押出しリングを備え、該カバーグラスケース３０は、物置き台１２に設置され、まずスライドグラスをスライドグラス保持枠１１４に、カバーグラスをカバーグラスケース３０に放置し、顕微鏡を操作する時に、押出し器２０を回転することによって、スライドグラスを簡単に押出すと共に、カバーグラスを直接にカバーグラスケース３０から取ることができる。【選択図】図１
0003209538.tif 000002
【実用新案登録請求の範囲】
【請求項１】
スライドグラス配置台及び物置き台を備え、該スライドグラス配置台の前側及び後側にそれぞれ側板が設けられ、該２枚の側板の上部の間に上板が取り付けられ、該２枚の側板との間に組立空間が形成され、該上板の上面にスライドグラス保持枠が直立状態で設置され、該スライドグラス保持枠の内面と上板 の上面との間にスライドグラスのスライドグラス収納空間が形成され、該スライドグラス収納空間が長方形の空間であり、該スライドグラス保持枠の左面底部または右面底部にスライドグラス収納空間と連通する少なくとも１つの押出し開口が形成され、該スライドグラス保持枠の上部に上蓋が取り付けられ、該上板の上面におけるスライドグラス収納空間の中間に対応する箇所に、少なくとも１つの連通口が前後方向に間隔をおいて形成され、該２枚の側板の上部中間における連通口に対応する箇所にそれぞれ軸穴が形成されるスライドグラス座と、
軸心及び回転ボタンを備え、該軸心は、回転可能に軸穴に挿設され、該軸心の外周面に１つ以上の環状凹部が前後方向に間隔をおいて凹設され、該環状凹部に押出しリングが環装され、該押出しリングの上縁が上方に向かって連通口から突出し、 該回転ボタンは、軸心の一端に取り付けられる、押出し器と、
それぞれがスライドグラス座の物置き台に設置され、カバーグラス保持枠及びカバーを備え、該カバーグラス保持枠は、方形を呈するように物置き台に設置され、その内部にカバーグラス収納空間が形成され、該カバーグラス収納空間が方形の空間であり、該カバーグラス保持枠の周囲の４つの面のうちの一面に取出し開口が形成され、該取出し開口の高さ及び幅がカバーグラス収納空間の高さ及び幅と一致し、該カバーは、カバーグラス保持枠の取出し開口をカバーするように、カバーグラス保持枠の周囲に設置される、１つ以上のカバーグラスケースと、
を有することを特徴とするスライドグラス及びカバーグラス用ホルダ。
【請求項２】
前記スライドグラス保持枠の前面中間及び後面中間にそれぞれ放置補助開口が上下方向に沿って形成されることを特徴とする請求項１に記載のスライドグラス及びカバーグラス用ホルダ。
【請求項３】
前記カバーグラス保持枠における取出し開口に対向する面の中間にさらに、放置補助開口が凹設されることを特徴とする請求項２に記載のスライドグラス及びカバーグラス用ホルダ。
【請求項４】
前記物置き台における上部に容器放置部が凹設され、上部両側にそれぞれ配置面が設けられ、
前記カバーグラスケースは２つであり、それぞれがスライドグラス座の配置面に取り付けられることを特徴とする請求項１から３のいずれか１項に記載のスライドグラス及びカバーグラス用ホルダ。
【請求項５】
前記上板の上面に２つの連通口が前後方向に間隔をおいて形成され、
前記軸心の外周面に２つの押出しリングが前後方向に間隔をおいて環装され、
前記スライドグラス保持枠の左面底部及び右面底部にそれぞれ押出し開口が形成されることを特徴とする請求項４に記載のスライドグラス及びカバーグラス用ホルダ。
【請求項６】
前記軸心は、中間軸及び２つの挿設軸を備え、該中間軸は、２つの連通口の下方に対応するように、組立空間に配置され、該中間軸の外周面に環状凹部が凹設され、該環状凹部に押出しリングが環装され、該中間軸 の前後両端の端面にそれぞれ挿設穴が凹設され、該挿設穴が非円形の穴であり、該２つの挿設軸における中間軸側の外周面にそれぞれ嵌合部が形成され、該嵌合部を介して挿設穴に挿し込まれて固定され、
前記２つの挿設軸が軸穴に挿設され、そのうち、一方の挿設軸の一端に頭部が設けられ、他方の挿設軸の一端に回転ボタンが取り付けられることを特徴とする請求項１から３のいずれか１項に記載のスライドグラス及びカバーグラス用ホルダ。
【請求項７】
前記組立空間におけるスライドグラス座の底部に組立開口が形成されることを特徴とする請求項６記載のスライドグラス及びカバーグラス用ホルダ。
【考案の詳細な説明】
【技術分野】
【０００１】
本考案は、特に顕微鏡のスライドグラスまたはカバーグラが汚れないために、スライドグラスまたはカバーグラを収納して保存することができるホルダに関するものである。
【背景技術】
【０００２】
研究員や、医者、学生などがよく顕微鏡を用いて試料を観察し、通常に高倍率の顕微鏡を操作する時に、試料をスライドグラスにのせてカバーグラスで挟んでから観察がすることができ、また、スライドグラス及びカバーグラスと試料との間に油浸オイルを入れると、光の屈折または反射を抑えるため、試料の観察に分解能を上げて観察しやすくなる。
【考案の概要】
【考案が解決しようとする課題】
【０００３】
上述したように、研究員や、医者、学生などが顕微鏡を操作する時に、スライドグラスや、カバーグラス、油浸オイルの容器などの観察用品を用意する必要があるが、スライドグラス及びカバーグラスを収納したり保存するための装置を有しないため、スライドグラス及びカバーグラスを所定の置く場所がなく、勝手に散乱している机に置けば、スライドグラスまたはカバーグラスを探してボックスから取るのが非常に不便であり、また、スライドグラス及びカバーグラスがすごく薄いことから、一回で一枚を精確に取り難く、不注意でグラスで指を切って怪我してしまう恐れもあった。
【課題を解決するための手段】
【０００４】
本考案に係るスライドグラス及びカバーグラス用ホルダは、
スライドグラス配置台及び物置き台を備え、該スライドグラス配置台の前側及び後側にそれぞれ側板が設けられ、該２枚の側板の上部の間に上板が取り付けられ、該２枚の側板との間に組立空間が形成され、該上板の上面にスライドグラス保持枠が直立状態で設置され、該スライドグラス保持枠の内面と上板の上面との間にスライドグラスのスライドグラス収納空間が形成され、該スライドグラス収納空間が長方形の空間であり、該スライドグラス保持枠の左面底部または右面底部にスライドグラス収納空間と連通する少なくとも１つの押出し開口が形成され、該スライドグラス保持枠の上部に上蓋が取り付けられ、該上板の上面におけるスライドグラス収納空間の中間に対応する箇所に、少なくとも１つの連通口が前後方向に間隔をおいて形成され、該２枚の側板の上部中間における連通口に対応する箇所にそれぞれ軸穴が形成されるスライドグラス座と、
軸心及び回転ボタンを備え、該軸心は、回転可能に軸穴に挿設され、該軸心の外周面に１つ以上の環状凹部が前後方向に間隔をおいて凹設され、該環状凹部に押出しリングが環装され、該押出しリングの上縁が上方に向かって連通口から突出し、該回転ボタンは、軸心の一端に取り付けられる、押出し器と、
それぞれがスライドグラス座の物置き台に設置され、カバーグラス保持枠及びカバーを備え、該カバーグラス保持枠は、方形を呈するように物置き台に設置され、その内部にカバーグラス収納空間が形成され、該カバーグラス収納空間が方形の空間であり、該カバーグラス保持枠の周囲の４つの面のうちの一面に取出し開口が形成され、該取出し開口の高さ及び幅がカバーグラス収納空間の高さ及び幅と一致し、該カバーは、カバーグラス保持枠の取出し開口をカバーするように、カバーグラス保持枠の周囲に設置される、１つ以上のカバーグラスケースと、を有するものである。
【０００５】
かかるスライドグラス及びカバーグラス用ホルダにおいて、前記スライドグラス保持枠の前面中間及び後面中間にそれぞれ放置補助開口が上下方向に沿って形成されることが好ましい。
【０００６】
かかるスライドグラス及びカバーグラス用ホルダにおいて、前記カバーグラス保持枠における取出し開口に対向する面の中間にさらに、放置補助開口が凹設されることが好ましい。
【０００７】
かかるスライドグラス及びカバーグラス用ホルダにおいて、
前記物置き台における上部に容器放置部が凹設され、上部両側にそれぞれ配置面が設けられ、
前記カバーグラスケースは２つであり、それぞれがスライドグラス座の配置面に取り付けられることが好ましい。
【０００８】
かかるスライドグラス及びカバーグラス用ホルダにおいて、
前記上板の上面に２つの連通口が前後方向に間隔をおいて形成され、
前記軸心の外周面に２つの押出しリングが前後方向に間隔をおいて環装され、
前記スライドグラス保持枠の左面底部及び右面底部にそれぞれ押出し開口が形成されることが好ましい。
【０００９】
かかるスライドグラス及びカバーグラス用ホルダにおいて、
前記軸心は、中間軸及び２つの挿設軸を備え、該中間軸は、２つの連通口の下方に対応するように、組立空間に配置され、該中間軸の外周面に環状凹部が凹設され、該環状凹部に押出しリングが環装され、該中間軸の前後両端の端面にそれぞれ挿設穴が凹設され、該挿設穴が非円形の穴であり、該２つの挿設軸における中間軸側の外周面にそれぞれ嵌合部が形成され、該嵌合部を介して挿設穴に挿し込まれて固定され、
前記２つの挿設軸が軸穴に挿設され、そのうち、一方の挿設軸の一端に頭部が設けられ、他方の挿設軸の一端に回転ボタンが取り付けられることが好ましい。
【００１０】
かかるスライドグラス及びカバーグラス用ホルダにおいて、
前記組立空間におけるスライドグラス座の底部に組立開口が形成されることが好ましい。
【考案の効果】
【００１１】
本考案に係るスライドグラス及びカバーグラス用ホルダの準備作業をする時、まず上蓋及びカバーを取り外して、複数枚の重ねたスライドグラスをスライドグラス収納空間に、複数枚の重ねたカバーグラスをカバーグラス収納空間に放置すると、上蓋及びカバーをもう一度取り付けて、準備作業が完成する。そのうち、カバーグラス収納空間にある複数枚のスライドグラスのうちの最も下の一枚が底面で押出しリングと接触する。
【００１２】
使用する時、まず上蓋及びカバーを取り外して、使用者が直接にカバーグラス収納空間にあるカバーグラスを取ることができ、また、押出し器の回転ボタンを回して押出しリングも同時に回転させるため、最も下のスライドグラスを押出し開口から一枚ずつ押し出すことができる。
【００１３】
本考案に係るスライドグラス及びカバーグラス用ホルダを有すれば、複数枚の重ねたスライドグラス及び複数枚の重ねたカバーグラスを収納且つ保存することができる。また、上蓋及びカバーを有することから、上蓋及びカバーによりスライドグラス及びカバーグラスをカバーすると、スライドグラス及びカバーグラスが汚れなくなり、綺麗に保存することができる。さらに、顕微鏡を操作する時、使用者が直接にカバーグラスを取ることができ、回転ボタンを回してはスライドグラスを一枚ずつ押出させるため、取りやすくて使用上に非常に便利である。本考案に係るスライドグラス及びカバーグラス用ホルダを使用すれば、スライドグラス及びカバーグラスを取りやすくて落ちることを防止すると共に、指を切って怪我することも防止できる。
【図面の簡単な説明】
【００１４】
【図１】本考案の第一実施例の斜視図である。
【図２】本考案の第一実施例の他の斜視図である。
【図３】本考案の第一実施例の分解斜視図である。
【図４】本考案の第一実施例の断面図である。
【図５】本考案の第一実施例において、スライドグラス、カバーグラス、油浸オイルの容器を収納した状態を示す説明図である。
【図６】本考案の第一実施例において、スライドグラスを取り出す説明図である。
【図７】本考案の第二実施例の斜視図である。
【考案を実施するための形態】
【００１５】
本考案に係るスライドグラス及びカバーグラス用ホルダの第一実施例は、図１乃至図４に示すように、スライドグラス座１０と、押出し器２０と、２つのカバーグラスケース３０を有する。
【００１６】
前記スライドグラス座１０は、射出成型により環境に優しい材料のＡＢＳ樹脂（acrylonitrile butadiene styrene, ABS resin）からなるハウジングであり、その前側及び後側にスライドグラス配置台１１及び物置き台１２が互いに連接するように設けられ、そのうち、スライドグラス配置台１１の上部の高さが物置き台１２の上部の高さよりも高くなり、該スライドグラス配置台１１の前側及び後側にそれぞれ側板１１１が設けられ、該２枚の側板１１１の上部の間に上板１１２が取り付けられ、該上板１１２は、水平状態で配置された長方形板であり、その長辺１１２１が前後方向に沿って両側縁に形成され、その短辺１１２２が左右方向に沿って両側縁に形成され、該上板１１２の上面におけるスライドグラス収納空間１１５の中間に対応する箇所に、２つの連通口１１２３が前後方向に間隔をおいて形成され、また、該２枚の側板１１１との間に組立空間１１３が形成され、該組立空間１１３におけるスライドグラス座１０の底部に組立開口１１３１が形成される。
【００１７】
前記上板１１２の上面にスライドグラス保持枠１１４が直立状態で設置され、該スライドグラス保持枠１１４は、左右方向の辺が前後方向の辺よりも長い、長方形のケースであり、その前面中間及び後面中間にそれぞれ放置補助開口１１４１が上下方向に沿って形成され、該スライドグラス保持枠１１４の内面と物置き台１２の上面との間に、長方形のスライドグラスのスライドグラス収納空間１１５が形成され、該スライドグラス保持枠１１４の左面底部及び右面底部にそれぞれスライドグラス収納空間１１５と連通する押出し開口１１４２が形成され、該押出し開口１１４２の幅及び高さがスライドグラスの幅及び高さと一致し、該スライドグラス保持枠１１４の上部に上蓋１１６が取り付けられる。さらに、前記２枚の側板１１１の上部中間における連通口１１２３に対応する箇所にそれぞれ軸穴１１１１が形成される。
前記物置き台１２は、ハウジングであり、スライドグラス配置台１１の前側と連接するように設けられ、その上部中間に容器放置部１２１が凹設され、その上部両側にそれぞれ配置面１２２が設けられる。
【００１８】
前記押出し器２０は、スライドグラス座１０に装着され、軸心２１及び回転ボタン２２を備え、該軸心２１は、スライドグラス配置台１１の２つの側板１１１に貫設され、中間軸２１１及び２つの挿設軸２１２を備え、該中間軸２１１は、２つの連通口１１２３の下方に対応するように、組立空間１１３における２つの軸穴１１１１の間に配置され、その前後両端の外周面にそれぞれ環状凹部２１１１が凹設され、該各環状凹部２１１１に押出しリング２１３が環装され、該押出しリング２１３は、摩擦係数の大きいなプラスチックリングであり、その径方向の厚さが環状凹部２１１１の深さよりも厚いことから（図４の如く）、該押出しリング２１３の上縁が上方に向かって連通口１１２３からスライドグラス保持枠１１４の内部に突出し、該中間軸２１１の前後両端の端面にそれぞれ挿設穴２１１２が凹設され、該挿設穴２１１２は、方形などの非円形の穴である。
【００１９】
前記２つの挿設軸２１２は、回転可能に軸穴１１１１に挿設されると共に、中間軸２１１の両端に取り付けられ、該各挿設軸２１２における中間軸２１１側の外周面に、挿設穴２１１２の形状に対応する嵌合部２１２１が形成され、該各挿設軸２１２が嵌合部２１２１を介して挿設穴２１１２に挿し込まれて固定され、また、該各挿設軸２１２の前端に大径の頭部２１２２が設けられる。そのうち、後側の挿設軸２１２にさらに、回転ボタン２２が取り付けられ、使用者が回転ボタン２２を回転すると、軸心２１を連動して回転することから、軸心２１の中間軸２１１にある２つの押出しリング２１３を回転させる。
【００２０】
前記２つのカバーグラスケース３０は、スライドグラス座１０に設置され、それぞれがスライドグラス座１０の配置面１２２に取り付けられ、該各カバーグラスケース３０は、カバーグラス保持枠３１及びカバー３２を備え、該カバーグラス保持枠３１は、方形を呈するように物置き台１２に設置され、その内部にカバーグラス収納空間３１１が形成され、該カバーグラス収納空間３１１が方形の空間であり、該カバーグラス保持枠３１の周囲の４つの面のうちの一面に取出し開口３１２が形成され、該取出し開口３１２の高さ及び幅がカバーグラス収納空間３１１の高さ及び幅と一致し、該カバーグラス保持枠３１における取出し開口３１２に対向する面の中間にさらに、放置補助開口３１３が凹設され、該放置補助開口３１３の幅がカバーグラス収納空間３１１の幅より狭くなり、該カバー３２は、カバーグラス保持枠３１の取出し開口３１２をカバーするように、カバーグラス保持枠３１の周囲に設置される。
【００２１】
図３及び図５に示すように、本考案に係るスライドグラス及びカバーグラス用ホルダを使用する時、まず上蓋１１６及びカバー３２を取り外して、親指及び人指し指で複数枚の重ねたスライドグラス４０を挟みながらスライドグラス収納空間１１５に入れることができる。第一実施例のスライドグラス収納空間１１５に５０枚のスライドグラス４０を収納することが可能である。前記操作過程において、スライドグラス保持枠１１４の左右両側にそれぞれ放置補助開口１１４１が形成されることから、放置補助開口１１４１により指を通過させて複数枚のスライドグラス４０を簡単にスライドグラス収納空間１１５に入れることができ、スライドグラス４０の放置作業に利便性が向上する。そして、上蓋１１６がスライドグラス保持枠１１４をカバーしてスライドグラス４０の準備が完成する。
【００２２】
本実施例におけるカバーグラス収納空間３１１ごとに、５０枚重ねたカバーグラス４１を収納することができるため、２つのカバーグラス収納空間３１１には１００枚のカバーグラス４１を収納することができる。
複数枚重ねたカバーグラス４１をカバーグラス収納空間３１１に入れる時に、親指及び人指し指でカバーグラス４１を挟みながらカバーグラス保持枠３１の対向する両側にある取出し開口３１２及び放置補助開口３１３を通ってカバーグラス収納空間３１１に入れることができ、それによれば、カバーグラス４１の放置作業に利便性が向上する。そして、カバー３２がカバーグラス保持枠３１をカバーして、油浸オイルの容器４２を容器放置部１２１に置くと、カバーグラス４１及び油浸オイルの準備が完成する。すなわち、そのスライドグラス４０とカバーグラス４１と容器４２との準備が全部完成する。
【００２３】
本考案に係るスライドグラス及びカバーグラス用ホルダは、スライドグラス収納空間１１５及びカバーグラス収納空間３１１をカバーするための上蓋１１６及びカバー３２を有することから、スライドグラス及びカバーグラスを使用しない場合に、上蓋１１６及びカバー３２によりスライドグラス及びカバーグラスをカバーすると、スライドグラス及びカバーグラスが汚れなくなり、綺麗に保存することができる。
【００２４】
図１及び図２に示すように、本考案に係るスライドグラス及びカバーグラス用ホルダにおいて、その物置き台１２の左右両側にそれぞれ、カバーグラスケース３０が設置されることから、一人で使用してもよく、二人で同時に使用してもよい。
【００２５】
図４乃至図６に示すように、使用者がカバーグラス収納空間３１１にあるカバーグラス４１を取る時、複数枚のカバーグラス４１のうちの最も上の１枚から１枚ずつ取り、一方、使用者がスライドグラス収納空間１１５にあるスライドグラス４０を取る時、押出し器２０の回転ボタン２２を時計回りまたは逆時計回りに回して、２つの連通口１１２３から突出した２つの押出しリング２１３を同時に回転させて、該２つの押出しリング２１３を介して最も下のスライドグラス４０を左側または右側の押出し開口１１４２から一枚ずつ押し出し、そのうち、使用者が操作の需要に応じて、スライドグラス４０を左側または右側から自由に選んで押し出すことができる。したがって、スライドグラス４０で指を切って怪我することを防止すると共に、身体障害者も片手で操作することができるため、操作上、非常に簡単且つ安全であり、身体障害者にも使用しやすくなる。
【００２６】
図４に示すように、その押出し器２０の押出しリング２１３は、使用して磨耗することから、消耗品である。その押出しリング２１３が磨耗して機能を失う場合に、押出し器２０の中間軸２１１を組立空間１１３の組立開口１１３１から取り外して、古い押出しリング２１３を新たな押出しリング２１３に交換してからもう一度取り付ければよい。
【００２７】
本考案に係るスライドグラス及びカバーグラス用ホルダの第一実施例における上板１１２に２つの連通口１１２３が形成されてもよいが、他の実施例における上板１１２に幅が広い連通口１１２３が形成されてもよく、或いは、その上板１１２に３つの連通口１１２３がそれぞれ前後方向に間隔をおいて形成されると共に、軸心２１における３つの連通口１１２３に対応する箇所に３つの押出しリング２１３が取り付けられてもよい。さらに、それらの押出しリング２１３は、外周縁が連通口１１２３を通ってスライドグラス保持枠１１４の内部に突出することから、外周縁を介してスライドグラス４０に当接して左側または右側へ押し出すことができる。
【００２８】
前記軸心２１は、中間軸２１１及び２つの挿設軸２１２から構成してもよいが、シングルピースであってもよい。
【００２９】
本考案に係るスライドグラス及びカバーグラス用ホルダの第一実施例における物置き台１２に、２つのカバーグラスケース３０が設置されてもよいが、図７に示した第二実施例における２つの配置面１２２のうちの一方しかカバーグラスケース３０が設置されなくてもよい。すなわち、第二実施例の物置き台１２の一方の配置面１２２しかカバーグラスケース３０を有しないため、第二実施例においは、一人で操作するものである。
【符号の説明】
【００３０】
１０   スライドグラス座
１１   スライドグラス配置台
１１１ 側板
１１１１      軸穴
１１２ 上板
１１２１      長辺
１１２２      短辺
１１２３      連通口
１１３ 組立空間
１１３１      組立開口
１１４ スライドグラス保持枠
１１４１      放置補助開口
１１４２      押出し開口
１１５ スライドグラス収納空間
１１６ 上蓋
１２   物置き台
１２１ 容器放置部
１２２ 配置面
２０   押出し器
２１   軸心
２１１ 中間軸
２１１１      環状凹部
２１１２      挿設穴
２１２ 挿設軸
２１３ 押出しリング
２２   回転ボタン
３０   カバーグラスケース
３１   カバーグラス保持枠
３１１ カバーグラス収納空間
３１２ 取出し開口
３１３ 放置補助開口
３２   カバー
４０   スライドグラス
４１   カバーグラス
４２   油浸オイルの容器
【図１】
0003209538.tif 000003
【図２】
0003209538.tif 000004
【図３】
0003209538.tif 000005
【図４】
0003209538.tif 000006
【図５】
0003209538.tif 000007
【図６】
0003209538.tif 000008
【図７】
0003209538.tif 000009